(57)【特許請求の範囲】
【請求項１】
ブロー成形により有底筒状に形成されたボトルであって、
底壁部は、
外周縁部に位置する接地部と、
前記接地部に径方向の内側から連なり、ボトル軸方向の内側に窪む陥没部と、を備え、
前記陥没部には、
ボトル軸方向の内側に向けて窪む位置決め凹部と、
前記位置決め凹部よりも径方向の外側において、前記位置決め凹部を画成する壁面のうち、少なくともボトル軸周りの周方向を向き、かつボトル軸方向に延びる位置決め壁部に対応する部分に形成され、ボトル軸方向の外側に向けて突出する補助突部と、が配設され、
前記補助突部は、周方向に沿って延びる円弧状に形成されるとともに、径方向から見て前記位置決め壁部を周方向に跨って配置されていることを特徴とするボトル。
【請求項２】
前記補助突部は、前記位置決め凹部に対して径方向の外側に離間して配置されていることを特徴とする請求項１に記載のボトル。
【請求項３】
前記補助突部の周方向における長さは、前記位置決め凹部の周方向における長さに比べて長いことを特徴とする請求項１又は請求項２に記載のボトル。
【発明の詳細な説明】
【技術分野】
【０００１】
本発明は、位置決め凹部が形成されたボトルに関する。
【背景技術】
【０００２】
従来から、ブロー成形により有底筒状に形成されたボトルとして、底壁部に、外周縁部に位置する接地部と、接地部に径方向の内側から連なり、ボトル軸方向の内側に窪む陥没部と、を備えた構成が知られている。この種のボトルでは、例えば貼付や印刷等によって胴部に装飾を施す際の位置決めとして、陥没部に位置決め凹部が形成されたものがある（例えば、下記特許文献１参照）。
【０００３】
このような構成において、胴部に装飾を施す際には、装飾装置の位置決め突部をボトルの位置決め凹部内に係合させ、装飾装置に対してボトルを位置決めする。
【先行技術文献】
【特許文献】
【０００４】
【特許文献１】特開平１１−０５９６４５号公報
【発明の概要】
【発明が解決しようとする課題】
【０００５】
ところで、上述したボトルでは、底壁部の位置決め凹部がボトルを２軸延伸ブロー成形により製造する過程における最終段階で成形される。このため、十分に延伸されず、成形金型のうち位置決め凹部を成形する部分（以下、凹部成形部という）の全面に対してプリフォームが密接しないまま成形が終了し、位置決め凹部が凹部成形部に倣った所望の形状に形成できないおそれがある。
【０００６】
この場合、位置決め凹部を画成する壁面のうち、周方向を向き、かつボトル軸方向に延び、装飾装置側の位置決め突部が突き当たる位置決め壁部の下端縁の角部が潰れる等して、位置決め凹部と位置決め突部との係合が弱くなるおそれがある。その結果、装飾装置に対するボトルの位置決め精度が低下し、ボトルが予期せぬ位置や方向に位置決めされる可能性がある。
【０００７】
そこで、本発明は、上述した事情に鑑みてなされたものであって、その目的は、底壁部に形成する位置決め凹部の賦形性を向上させることができる位置決め凹部が形成されたボトルを提供することである。
【課題を解決するための手段】
【０００８】
上記課題を解決するために、本発明は以下の手段を提案している。
本発明に係るボトルは、ブロー成形により有底筒状に形成されたボトルであって、底壁部は、外周縁部に位置する接地部と、前記接地部に径方向の内側から連なり、ボトル軸方向の内側に窪む陥没部と、を備え、前記陥没部には、ボトル軸方向の内側に向けて窪む位置決め凹部と、前記位置決め凹部よりも径方向の外側において、前記位置決め凹部を画成する壁面のうち、少なくともボトル軸周りの周方向を向き、かつボトル軸方向に延びる位置決め壁部に対応する部分に形成され、ボトル軸方向の外側に向けて突出する補助突部と、が配設され、前記補助突部は、周方向に沿って延びる円弧状に形成されるとともに、径方向から見て前記位置決め壁部を周方向に跨って配置されていることを特徴とする。
本発明に係るボトルにおいて、前記補助突部は、前記位置決め凹部に対して径方向の外側に離間して配置されていてもよい。
本発明に係るボトルにおいて、前記補助突部の周方向における長さは、前記位置決め凹部の周方向における長さに比べて長くてもよい。
【０００９】
このような特徴により、ボトルとなるプリフォームが成形金型内で延伸される過程において、プリフォームは凹部成形部に接触した後、成形金型のうち補助突部を成形する突部成形部に向けてさらに延伸されることになる。そのため、プリフォームが凹部成形部に接触した状態で、少なくともボトル軸方向の外側に向けた引張力がプリフォームにさらに作用することになり、プリフォームを凹部成形部に対して確実に押し付けることができる。これにより、位置決め凹部を画成する壁面のうち、周方向を向き、かつボトル軸方向に延び、装置（ラベル貼付や印刷等に使用される装飾装置、検査装置等）側の位置決め突部が突き当たる位置決め壁部の下端縁の角部を金型形状に沿わせて確実に形成することができる。その結果、賦形性を向上させ、凹部成形部に倣った所望の形状に位置決め凹部を形成することができる。
【発明の効果】
【００１０】
本発明に係るボトルによれば、底壁部に形成する位置決め凹部の賦形性を向上させることができる。
【図面の簡単な説明】
【００１１】
【図１】実施形態に係るボトルの側面図である。
【図２】実施形態に係るボトルの底面図である。
【図３】図２のＡ−Ａ線に沿う断面図である。
【図４】実施形態の他の構成に係るボトルの底面図である。
【発明を実施するための形態】
【００１２】
以下、図面を参照し、本発明の実施形態を説明する。
図１に示すように、本実施形態のボトル１は、口部１１、肩部１２、胴部１３及び底部１４を備えた有底筒状とされ、これら１１〜１４が、それぞれの中心軸線を共通軸上に位置させた状態で、この順に連設された概略構成となっている。
【００１３】
以下、上述した共通軸をボトル軸Ｏといい、ボトル軸Ｏ方向に沿って口部１１側を上側、底部１４側を下側といい、また、ボトル軸Ｏ方向から見た平面視において、ボトル軸Ｏに直交する方向を径方向といい、ボトル軸Ｏ回りに周回する方向を周方向という。なお、本実施形態のボトル１は、例えば合成樹脂材料で一体に形成され、射出成形により有底筒状に形成されたプリフォームを、２軸延伸ブロー成形することにより形成される。また、口部１１には、図示しないキャップが装着される。
【００１４】
底部１４は、有底筒状を呈している。具体的に、底部１４は、上端開口部が胴部１３の下端開口縁に接続されたヒール部１７と、ヒール部１７の下端開口部を閉塞し、かつ外周縁部が接地部１８とされた底壁部１９と、を備えている。
【００１５】
胴部１３は、筒状とされ、肩部１２とヒール部１７との間を接続している。胴部１３におけるボトル軸Ｏ方向の両端部は、ボトル１の最大外径部になっている。
胴部１３におけるボトル軸Ｏ方向の中間部は、ボトル軸Ｏ方向に直交する横断面形状が周方向で異方性を有するとともに、ボトル軸Ｏ方向の両端部に対して縮径している。具体的に、胴部１３は、径方向のうち一方向Ｌの一端側を向く半円領域に位置する被装飾部２１と、他端側を向く半円領域に位置するグリップ部２２と、を有している。なお、以下の説明では、一方向Ｌの一端側を正面側といい、他端側を背面側という。また、胴部１３において、ボトル軸Ｏ方向の両端部と中間部との境界部分には、径方向の内側に向けて窪む周溝２３が胴部１３の全周に亘って形成されている。
【００１６】
被装飾部２１は、横断面形状が円弧状を呈し、その外周面に貼付や印刷等によって装飾が施される。
【００１７】
グリップ部２２は、その横断面形状が角形状とされている。具体的に、グリップ部２２は、背面側から正面側に向けて径方向に窪むパネル部２４と、パネル部２４に対して周方向の両側に位置し、上述した一方向Ｌに直交する他方向の内側に向けて窪む一対の指当て凹部２５と、を有している。グリップ部２２において、パネル部２４と各指当て凹部２５との間に位置する部分は、ボトル軸Ｏ方向に沿って延びる柱部２６を構成している。なお、横断面視において、柱部２６の曲率半径は、上述した被装飾部２１の曲率半径と同等とされている。
【００１８】
指当て凹部２５の底面には、周方向に沿って延びるリブ２８が容器軸Ｏ方向に間隔をあけて複数形成されている。
【００１９】
ここで、図２、図３に示すように、底部１４の底壁部１９は、上述した接地部１８と、接地部１８に径方向の内側から連なり、ボトル軸Ｏ方向の内側に向けて窪む陥没部３１と、を備えている。陥没部３１は、上方に向けて突の半球状（ドーム状）とされている。なお、図示の例において、陥没部３１の内周部分は、容器軸Ｏ方向に直交する平坦面とされている。
【００２０】
陥没部３１の外周部分には、陥没部３１の外面形状に倣って延びる仮想線Ｋ（図３参照）に対して上方に向けて窪む位置決め凹部３２が形成されている。位置決め凹部３２は、ボトル軸Ｏ方向から見た平面視で周方向に沿って延びる円弧状とされている。本実施形態において、位置決め凹部３２は、周方向の一端側から他端側に向かうに従い漸次深くなり、かつ径方向の幅が広くなっている。具体的に、位置決め凹部３２は、陥没部３１の外面に対して上方に位置する頂壁部３４と、頂壁部３４の外周縁と陥没部３１の外面との間を接続する周壁部３５と、により画成されている。
【００２１】
頂壁部３４は、ボトル軸Ｏ方向から見た平面視で帯状を呈し、径方向の幅が周方向の全体に亘って一様とされている。また、頂壁部３４は、周方向の一端部が他端側に向かうに従い上方に向けて延びる傾斜部３４ａとされ、他端部が傾斜部３４ａからさらに他端側に向けて延びる平坦部３４ｂとされている。
【００２２】
なお、頂壁部３４の形状は適宜設計変更が可能であり、例えば周方向の全体に亘って傾斜していてもよい。この場合、頂壁部３４は、周方向の全体に亘って傾斜角度が一様であってもよく、一端部と他端部とで傾斜角度を異ならせても構わない。また、位置決め凹部３２は、傾斜部３４ａを有しない構成（周壁部３５によって頂壁部３４の全周が取り囲まれた構成）としても構わない。
【００２３】
周壁部３５は、頂壁部３４に対して周方向の一端側を除く三方を取り囲んでいる。具体的に、周壁部３５は、頂壁部３４おける径方向の側縁部及び陥没部３１間を接続する一対の側壁部３５ａと、平坦部３４ｂにおける周方向の他端縁及び陥没部３１間を接続する位置決め壁部３５ｂと、を有している。
【００２４】
側壁部３５ａは、頂壁部３４の側端縁から下方に向かうに従い頂壁部３４に対して径方向に離間する方向にそれぞれ延在している。なお、図示の例において、側壁部３５ａのうち、頂壁部３４に対して径方向の内側に位置する側壁部３５ａの傾斜角度は、頂壁部３４に対して径方向の外側に位置する側壁部３５ａの傾斜角度に比べて大きくなっている。
位置決め壁部３５ｂは、周方向の一端側を向き、かつ頂壁部３４の他端縁から下方に向けて延在し、ボトル１の成形時において、装置（ラベル貼付や印刷等に使用される装飾装置、検査装置等）側の位置決め突部が周方向の一端側から係合可能とされている。図示の例において、位置決め壁部３５ｂは、平坦部３４ｂに対して垂直に延在している。
【００２５】
陥没部３１において、位置決め凹部３２に対して径方向の外側に位置する部分には、下方に向けて突出する補助突部４１が形成されている。補助突部４１は、ボトル軸Ｏ方向に縦断面視形状で三角形状を呈し、その頂部が陥没部３１の仮想線Ｋの法線上に位置している。補助突部４１の頂部は、接地部１８よりも上方に位置している。また、補助突部４１は、位置決め凹部３２に対して径方向に離間して配置されるとともに、径方向の幅が位置決め凹部３２（頂壁部３４）に比べて狭くなっている。なお、補助突部４１は、位置決め凹部３２のうち、径方向の外側に位置する側壁部３５ａに径方向の外側から連なるように形成しても構わない。
【００２６】
ボトル軸Ｏ方向から見た平面視において、補助突部４１は、周方向に沿って延びる円弧状とされ、ボトル軸Ｏを中心として位置決め凹部３２の同心円上に配置されている。また、補助突部４１は、周方向の長さが位置決め凹部３２よりも長くなっている。具体的に、補助突部４１は、周方向の一端縁が位置決め凹部３２（頂壁部３４）の一端縁と同等の位置に配置され、周方向の他端縁が位置決め凹部３２（頂壁部３４）の他端縁を越えて延びている。図示の例において、補助突部４１のうち、位置決め凹部３２に対して他端側への突出量は、位置決め凹部３２における平坦部３４ｂの周方向の長さと同等とされている。このように、本実施形態の補助突部４１は、陥没部３１の全周には形成されておらず、少なくとも位置決め壁部３５ｂに対応する部分を含む一部の範囲に形成されている。
【００２７】
本実施形態において、ボトル１を二軸延伸ブロー成形で製造する際は、成形金型内にプリフォームをセットし、口部１１を通してプリフォーム内に空気を供給する（このとき、プリフォームを容器軸Ｏ方向に延伸する延伸ロッドを使用しても良い）。すると、プリフォームが下方かつ径方向の外側に延伸されることで、成形金型の内面に密接する。これにより、上述したボトル１が成形金型の内面形状に倣って成形される。
【００２８】
ここで、本実施形態では、陥没部３１において、位置決め凹部３２よりも径方向の外側に位置する部分に補助突部４１が形成された構成とした。
この構成によれば、プリフォームが成形金型内で延伸される過程において、プリフォームは凹部成形部に接触した後、成形金型のうち補助突部４１を成形する突部成形部に向けてさらに延伸されることになる。そのため、プリフォームが凹部成形部に接触した状態で、少なくとも下方に向けた引張力がプリフォームにさらに作用することになり、プリフォームを凹部成形部に対して確実に押し付けることができる。これにより、装置側の位置決め突部が突き当たる位置決め壁部３５ｂの下端縁の角部（位置決め壁部３５ｂと陥没部３１とのなす角部）を金型形状に沿わせて確実に形成することができる。その結果、賦形性を向上させ、凹部成形部に倣った所望の形状に位置決め凹部３２（位置決め壁部３５ｂ）を形成することができる。この場合、位置決め凹部３２が２軸延伸ブロー成形での最終段階となる陥没部３１の外周部分に形成されていたとしても、賦形性を確実に向上させることができる。
【００２９】
そして、本実施形態では、例えば装飾装置を用いてボトル１の被装飾部２１に装飾を施す際、装置側の位置決め突部を位置決め凹部３２内に安定して係合することができる。よって、装飾装置に対してボトル１を所望の位置に位置決めできるので、被装飾部２１の所望の位置に装飾を施すことができる。
しかも、本実施形態では、位置決め凹部３２が傾斜部３４ａを有しているため、ボトル１と装置の位置決め突部とを相対回転させることで、位置決め突部を位置決め凹部３２内に進入させ、位置決め壁部３５ｂに突き当てることができる。これにより、位置合わせ作業をスムーズに行うことができる。
【００３０】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、位置決め凹部３２が周方向に一つ形成された構成について説明したが、これに限らず、位置決め凹部３２を周方向に複数形成されていても構わない。例えば図４に示すように、位置決め凹部３２を一対で形成しても構わない。この場合、各位置決め凹部３２の双方が、容器軸Ｏに対して径方向の一端側を向く半円領域に形成されている（容器軸Ｏに対して点対称の位置に設けても良い）。また、各位置決め凹部３２は、その延在方向が互いに逆向きになっている。すなわち、各位置決め凹部３２のうち、一方の位置決め凹部３２は周方向の一端側から他端側に向かうに従い漸次深くなり、他方の位置決め凹部３２は周方向の他端側から一端側に向かうに従い漸次深くなっている。そして、陥没部３１において、各位置決め凹部３２の径方向の外側に位置する部分には、一対の補助突部４１が各別に形成されている。
このように、一対の位置決め凹部３２が互いに逆向きに形成されているため、例えば装飾行程や検査工程等の２つの工程において、ボトル１と装置の位置決め突部との相対回転を逆向きにすることで、対応する各位置決め凹部３２と各装置の位置決め突部とをそれぞれ係合させることができる。
【００３１】
また、上述した実施形態では、胴部１３にグリップ部２２が形成された、いわゆるピンチグリップ式のボトル１に本発明を適用した場合について説明したが、これに限らず、種々のボトルに適用することが可能である。
【００３２】
さらに、補助突部４１は、陥没部３１のうち位置決め凹部３２よりも径方向の外側において、周方向で位置決め壁部３５ｂを跨ぐように形成されていれば、補助突部４１における周方向の長さは、適宜設計変更が可能である。すなわち、補助突部４１は、周方向の長さが位置決め凹部３２と同等であっても、短くても構わない。
【００３３】
上述した実施形態では、補助突部４１の縦断面視形状が三角形状を呈し、その頂部が陥没部３１の法線上に位置する場合について説明したが、頂部は法線上に位置していなくても構わない。また、補助突部４１の縦断面視形状は、三角形状に限らず、半円形状や矩形状等、適宜設計変更が可能である。
また、補助突部４１の平面視形状は、円弧状に限らず、直線状や点状等であっても構わない。
さらに、位置決め凹部３２の平面視形状は、多角形状に限らず、円形状、楕円形状、矩形状等であっても構わない。
【００３４】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００３５】
１…ボトル
１８…接地部
１９…底壁部
３１…陥没部
３２…位置決め凹部
３５ｂ…位置決め壁部
４１…補助突部
【図１】
0006375248.tif 000002
【図２】
0006375248.tif 000003
【図３】
0006375248.tif 000004
【図４】
0006375248.tif 000005